(57)【要約】  符号化しようとする画像の色成分別画像であるスライスを生成し、生成されたスライスを並列的に符号化するが、そのスライスのそれぞれを独立的に符号化することによって、その符号化しようとする画像を符号化するので、圧縮しようとする画像の色成分がいくら多くても、その画像を迅速に圧縮しうる画像符号化／復号化方法及び装置である。同様に、復元しようとする画像の色成分別画像であるスライスの符号化された結果を有するビットストリームに含まれたそのスライスを復号化するが、そのスライスのそれぞれを独立的に復号化し、復号化されたそのスライスを利用して、その復元しようとする画像を復元するので、復元しようとする画像の色成分がいくら多くても、その画像を迅速に復元しうる画像符号化／復号化方法及び装置である。
2009531946.tif 000002
【特許請求の範囲】
【請求項１】
（ａ）符号化しようとする画像の色成分別画像であるスライスを生成するステップと、
（ｂ）前記スライスのそれぞれを独立的に符号化することによって、前記画像を符号化するステップと、を含むことを特徴とする画像符号化方法。
【請求項２】
前記（ｂ）ステップは、前記スライスを並列的に符号化することを特徴とする請求項１に記載の画像符号化方法。
【請求項３】
前記スライスのそれぞれは、空間的または時間的に相互区分されたことを特徴とする請求項１に記載の画像符号化方法。
【請求項４】
前記画像符号化方法は、ＹＣｂＣｒ色空間の前記符号化しようとする画像をＲＧＢ色空間の画像に変更した後、前記（ａ）ステップに進むステップをさらに含むことを特徴とする請求項１に記載の画像符号化方法。
【請求項５】
請求項１に記載の方法をコンピュータで実行させるためのコンピュータプログラムを保存したコンピュータで読み取り可能な記録媒体。
【請求項６】
符号化しようとする画像の色成分別画像であるスライスを生成する画像再構成部と、
前記スライスのそれぞれを独立的に符号化することによって、前記画像を符号化する並列的符号化部と、を備えることを特徴とする画像符号化装置。
【請求項７】
前記（ｂ）ステップは、前記スライスを並列的に符号化することを特徴とする請求項６に記載の画像符号化装置。
【請求項８】
前記スライスのそれぞれは、空間的または時間的に相互区分されたことを特徴とする請求項６に記載の画像符号化装置。
【請求項９】
前記画像再構成部は、ＹＣｂＣｒ色空間の前記符号化しようとする画像をＲＧＢ色空間の画像に変更した後、前記スライスを生成することを特徴とする請求項６に記載の画像符号化装置。
【請求項１０】
（ａ）復元しようとする画像の色成分別画像であるスライスの符号化された結果を有するビットストリームに含まれた前記スライスを復号化するが、前記スライスのそれぞれを独立的に復号化するステップと、
（ｂ）復号化された前記スライスを利用して、前記画像を復元するステップと、を含むことを特徴とする画像復号化方法。
【請求項１１】
前記（ａ）ステップは、前記スライスを並列的に復号化することを特徴とする請求項１０に記載の画像復号化方法。
【請求項１２】
前記スライスのそれぞれは、空間的に相互区分されたことを特徴とする請求項１０に記載の画像復号化方法。
【請求項１３】
デブロッキングフィルタは、隣接した前記スライス間の境界には適用不可能であることを特徴とする請求項１２に記載の画像復号化方法。
【請求項１４】
前記スライスのそれぞれは、時間的に相互区分されたことを特徴とする請求項１０に記載の画像復号化方法。
【請求項１５】
前記（ｂ）ステップは、復号化された前記スライス間の相互対応するピクセルのピクセル値を考慮して、前記画像を復元することを特徴とする請求項１０に記載の画像復号化方法。
【請求項１６】
前記ビットストリームは、前記スライス間の区分が時間的区分であるか、あるいは空間的区分であるかを表すモノクローム類型情報をさらに含み、前記画像復号化方法は、前記モノクローム類型情報を考慮して行われることを特徴とする請求項１０に記載の画像復号化方法。
【請求項１７】
前記画像復号化方法は、ＲＧＢ色空間の前記復元された画像をＹＣｂＣｒ色空間の画像に変更するステップをさらに含むことを特徴とする請求項１０に記載の画像復号化方法。
【請求項１８】
請求項１０に記載の方法をコンピュータで実行させるためのコンピュータプログラムを保存したコンピュータで読み取り可能な記録媒体。
【請求項１９】
復元しようとする画像の色成分別画像であるスライスの符号化された結果を有するビットストリームに含まれた前記スライスを復号化するが、前記スライスのそれぞれを独立的に復号化する並列的復号化部と、
復号化された前記スライスを利用して、前記画像を復元する画像復元部と、を備えることを特徴とする画像復号化装置。
【請求項２０】
前記並列的復号化部は、前記スライスを並列的に復号化することを特徴とする請求項１９に記載の画像復号化装置。
【請求項２１】
前記スライスのそれぞれは、空間的に相互区分されたことを特徴とする請求項１９に記載の画像復号化装置。
【請求項２２】
デブロッキングフィルタは、隣接した前記スライス間の境界には適用不可能であることを特徴とする請求項１９に記載の画像復号化装置。
【請求項２３】
前記スライスのそれぞれは、時間的に相互区分されたことを特徴とする請求項１９に記載の画像復号化装置。
【請求項２４】
前記画像復元部は、復号化された前記スライス間の相互対応するピクセルのピクセル値を考慮して、前記画像を復元することを特徴とする請求項１９に記載の画像復号化装置。
【請求項２５】
前記ビットストリームは、前記スライス間の区分が時間的区分であるか、あるいは空間的区分であるかを表すモノクローム類型情報をさらに含み、前記画像復号化装置は、前記モノクローム類型情報を考慮して動作することを特徴とする請求項１９に記載の画像復号化装置。
【請求項２６】
前記画像復元部は、ＲＧＢ色空間の前記復元された画像をＹＣｂＣｒ色空間の画像に変更することを特徴とする請求項１９に記載の画像復号化装置。
【発明の詳細な説明】
【技術分野】
【０００１】
本発明は、画像符号化及び復号化に係り、特に、多数の色成分を有する画像符号化／復号化方法及び装置に関する。
【背景技術】
【０００２】
画像は、多数の色成分を有しうる。例えば、画像は、輝度成分（Ｙ）、青色色差成分（Ｃｂ）、赤色色差成分（Ｃｒ）を有してもよく、Ｒ（赤）成分、Ｇ（緑）成分、Ｂ（青）成分を有してもよい。
【０００３】
従来の画像符号化装置は、多数の色成分を有する画像の符号化において、色成分別に順次に符号化する。例えば、従来の画像符号化装置は、輝度成分を符号化した後、青色色差成分を符号化し、青色色差成分を符号化した後、赤色色差成分を符号化することによって、画像を符号化しうる。これにより、従来の画像符号化装置は、符号化しようとする画像の色成分が多いほど、その画像の迅速な圧縮に限界を有する問題点を有する。４：４：４フォーマットの画像、４：０：０フォーマットの画像は、このような‘符号化しようとする画像’の一例である。４：４：４フォーマットの画像の場合、輝度成分に対して行われたサンプリング量と、青色色差成分に対して行われたサンプリング量と、赤色色差成分に対して行われたサンプリング量とは、相互同じである。一方、４：０：０フォーマット画像の場合、色差成分に対してはサンプリングが行われない。
【０００４】
このように、従来の画像復号化装置は、多数の色成分を有する画像が符号化されて生成されたビットストリームの復号化において、色成分別に順次に復号化する。例えば、従来の画像復号化装置は、輝度成分を復号化した後、青色色差成分を復号化し、青色色差成分を復号化した後、赤色色差成分を復号化することによって、ビットストリームを復号化しうる。これにより、従来の画像復号化装置は、復元しようとする画像の色成分が多いほど、その画像の迅速な復元に限界を有する問題点を有する。
【発明の開示】
【発明が解決しようとする課題】
【０００５】
本発明が解決しようとする技術的課題は、圧縮しようとする画像の色成分が多くても、その画像を迅速に圧縮する画像符号化／復号化方法及び装置を提供することである。
【０００６】
本発明の他の利点及び効果は、後述するところに基づいて明白に分かる。
【課題を解決するための手段】
【０００７】
前記課題を達成するために、本発明による画像符号化方法は、符号化しようとする画像の色成分別画像であるスライスを生成するステップと、前記スライスのそれぞれを独立的に符号化することによって、前記画像を符号化するステップと、を含むことが望ましい。
【０００８】
前記課題を達成するために、本発明による画像符号化装置は、符号化しようとする画像の色成分別画像であるスライスを生成する画像再構成部と、前記スライスのそれぞれを独立的に符号化することによって、前記画像を符号化する並列的符号化部と、を備えることが望ましい。
【０００９】
前記他の課題を達成するために、本発明による画像復号化方法は、復元しようとする画像の色成分別画像であるスライスの符号化された結果を有するビットストリームに含まれた前記スライスを復号化するが、前記スライスのそれぞれを独立的に復号化するステップと、復号化された前記スライスを利用して、前記画像を復元するステップと、を含むことが望ましい。
【００１０】
前記他の課題を達成するために、本発明による画像復号化装置は、復元しようとする画像の色成分別画像であるスライスの符号化された結果を有するビットストリームに含まれた前記スライスを復号化するが、前記スライスのそれぞれを独立的に復号化する並列的復号化部と、復号化された前記スライスを利用して、前記画像を復元する画像復元部と、を備えることが望ましい。
【００１１】
前記さらに他の課題を達成するために、本発明によるコンピュータで読み取り可能な記録媒体は、前記画像符号化方法または前記画像復号化方法をコンピュータで実行させるためのプログラムを保存することが望ましい。
【００１２】
本発明と本発明の動作上の利点及び本発明の実施によって達成される目的を十分に理解するためには、本発明の望ましい実施例を例示する添付図面及びその添付図面を説明する内容を参照せねばならない。
【発明を実施するための最良の形態】
【００１３】
以下、本発明による画像符号化／復号化方法及び装置を、添付した図面を参照して、次のように説明する。
【００１４】
図１Ａないし図１Ｃは、本発明による画像、ピクチャー、スライスを説明するための参照図である。
【００１５】
具体的に、図１Ａは、符号化しようとする画像（または、復元しようとする画像）１１０の一例を示す。図１Ａに示したように、符号化しようとする画像１１０は、横方向にＷ（但し、Ｗは自然数）個のピクセルと縦方向にＨ（但し、Ｈは自然数）個のピクセルとで構成される。
【００１６】
本明細書で、符号化しようとする画像１１０は、多数の色成分を有するピクチャーである。ここで、多数の色成分は、輝度成分（Ｙ）、青色（ｂｌｕｅ）色差成分（Ｃｂ）、赤色（ｒｅｄ）色差成分（Ｃｒ）のように、何れか一つの色成分（ＣｂまたはＣｒ）が他の一つの色成分（Ｙ）に従属的な色成分でもあり、Ｒ成分、Ｇ成分、Ｂ成分のように、相互独立的な色成分でもある。また、ピクチャーとは、１枚の画面イメージを意味する。符号化しようとする画像１１０は、何れか一時点（例えば、ｔｉｍｅ＝ｔ０）での画像である。
【００１７】
一方、図１Ｂは、符号化しようとする画像（または、復元しようとする画像）１１０の本発明の第１実施例によるスライス１２０,１３０,１４０を示し、図１Ｃは、符号化しようとする画像（または、復元しようとする画像）１１０の本発明の第２実施例によるスライス１５０,１６０,１７０を示す。
【００１８】
本明細書で、スライスとは、何れか一色成分に関する画像を意味する。
【００１９】
本発明による画像符号化方法及び装置は、符号化しようとする画像の色成分別画像であるスライスを生成した後、そのスライスを符号化することによって、その符号化しようとする画像を符号化する。このとき、その生成されたスライスは、相互独立的な色成分（例えば、Ｒ成分、Ｇ成分、Ｂ成分）の画像である。これにより、本発明による画像符号化方法及び装置は、その生成されたスライスのそれぞれを独立的に符号化しうる。スライスのそれぞれを独立的に符号化するというのは、何れか一つのスライスを符号化するとき、他の一つのスライスがどのように符号化されるかは考慮されないということを意味する。
【００２０】
同じ原理で、本発明による画像復号化方法及び装置は、復元しようとする画像の色成分別画像であるスライスの符号化された結果を有するビットストリームに含まれたそのスライスを並列的に復号化するが、そのスライスのそれぞれを独立的に復号化し、復号化されたスライスを利用して、その復元しようとする画像を復元する。このとき、そのスライスは、相互独立的な色成分（例えば、Ｒ成分、Ｇ成分、Ｂ成分）の画像である。これにより、本発明による画像復号化方法及び装置は、そのスライスのそれぞれを独立的に復号化しうる。スライスのそれぞれを独立的に復号化するというのは、何れか一つのスライスを復号化するとき、他の一つのスライスがどのように復号化されるかは考慮されないということを意味する。
【００２１】
スライス１２０,１３０,１４０のそれぞれは、図１Ｂに示したように、空間的に相互区分されている。図１Ｂに示されたように、スライス１２０,１３０,１４０は、横方向にＷ個のピクセルと縦方向に３Ｈ個のピクセルとで構成された一つのピクチャーを形成する。この場合、スライス１２０,１３０,１４０が形成したピクチャーは、何れか一時点（例えば、ｔｉｍｅ＝ｔ０）での画像である。このように、スライス１２０,１３０,１４０が形成したピクチャーは、そのピクチャーを構成するピクセルのそれぞれのピクセル値が一つの色成分のみを有するので、４：０：０フォーマットの画像のように取り扱われる。本明細書で、４：０：０フォーマットの画像とは、通常、‘輝度成分のみを有する画像’を意味するが、一つの成分のみを有するＲＧＢ画像（例えば、Ｒ成分のみを有する画像、またはＧ成分のみを有する画像、またはＢ成分のみを有する画像）を意味することもできる。
【００２２】
一方、スライス１５０,１６０,１７０のそれぞれは、図１Ｃに示したように、時間的に相互区分されている。図１Ｃに示したように、スライス１５０,１６０,１７０のそれぞれは、横方向にＷ個のピクセルと縦方向にＨ個のピクセルとで構成された一つのピクチャーを形成する。この場合、スライス１５０,１６０,１７０の形成したピクチャーは、３時点（例えば、ｔｉｍｅ＝ｔ０、ｔ０＋Ｔ／３、ｔ０＋２Ｔ／３）（但し、Ｔは、自然数）での画像である。このように、スライス１５０,１６０,１７０の形成したピクチャーのそれぞれは、そのピクチャーのそれぞれを構成するピクセルのそれぞれのピクセル値が一つの色成分のみを有するので、４：０：０フォーマットの画像のように取り扱われる。
【００２３】
図２は、本発明による画像符号化装置を説明するためのブロック図であって、画像再構成部２１０、及び並列的符号化部２２０を備えうる。
【００２４】
画像再構成部２１０は、入力端子ＩＮ１を通じて入力された符号化しようとする画像のスライスを生成する。具体的に、本発明の第１実施例による画像再構成部２１０は、符号化しようとする画像を利用して一つのピクチャーを形成するスライスを生成する。このように、本発明の第２実施例による画像再構成部２１０は、符号化しようとする画像を利用して、各スライスごとに一つのピクチャーを形成する多数のスライスを生成する。
【００２５】
一方、入力端子ＩＮ１を通じて入力された画像が、輝度成分（Ｙ）、青色色差成分（Ｃｂ）、赤色色差成分（Ｃｒ）のように、何れか一つの色成分（ＣｂまたはＣｒ）が他の一つの色成分（Ｙ）に従属的な色成分を有する画像（例えば、４：４：４フォーマットの画像）であれば、画像再構成部２１０は、その入力された画像をＲ成分、Ｇ成分、Ｂ成分のように相互独立的な色成分を有する画像に変更した後、前述したようにスライスを生成する。
【００２６】
並列的符号化部２２０は、符号化しようとする画像のスライスを並列的に符号化するが、そのスライスのそれぞれを独立的に符号化し、ビットストリームを生成し、生成されたビットストリームを出力端子ＯＵＴ１を通じて出力する。
【００２７】
一方、並列的符号化部２２０は、本発明の第１実施例によるスライスの符号化において、隣接したスライス間の境界には、デブロッキングフィルタを適用しないことが望ましい。ここで、デブロッキングフィルタは、Ｈ.２６４／ＡＶＣ（Ａｄｖａｎｃｅｄ  Ｖｉｄｅｏ  Ｃｏｄｉｎｇ）標準に採択されたフィルタ、すなわち、ブロック歪曲を除去するためのフィルタを意味する。
【００２８】
本発明による画像符号化装置は、符号化しようとする画像が符号化された結果だけでなく、モノクローム類型情報も含むビットストリームを生成しうる。
【００２９】
例えば、本発明による画像符号化装置は、符号化しようとする画像が多数の色成分を有する画像（例えば、４：４：４フォーマットの画像）であり、その符号化しようとする画像のスライスを符号化することによって、その符号化しようとする画像を符号化する場合に限り、そのようなビットストリーム（＝符号化しようとする画像が符号化された結果とモノクローム類型情報とを含むビットストリーム）を生成しうる。この場合、モノクローム類型情報とは、ビットストリームに現れた画像が、相互独立的な色成分（例えば、Ｒ成分、Ｇ成分、Ｂ成分）を有する画像のスライス（例えば、Ｒ成分の画像、Ｇ成分の画像、Ｂ成分の画像）であって、それぞれは、空間的に相互区分されたスライスであるか、あるいは、相互独立的な色成分を有する画像のスライスであって、それぞれは、時間的に相互区分されたスライスであるかを意味しうる。
【００３０】
または、本発明による画像符号化装置は、符号化しようとする画像がいかなる種類の画像であるかに関係なく、その符号化しようとする画像をいかなる方式で符号化するかにも関係なく、そのようなビットストリーム（＝符号化しようとする画像が符号化された結果とモノクローム類型情報とを含むビットストリーム）を生成することもできる。この場合、モノクローム類型情報とは、ビットストリームに現れた画像が、４：０：０フォーマットの画像であるか、４：２：０フォーマットの画像であるか、４：２：２フォーマットの画像であるか、４：４：４フォーマットの画像であるか、あるいは、相互独立的な色成分（例えば、Ｒ成分、Ｇ成分、Ｂ成分）を有する画像のスライス（例えば、Ｒ成分の画像、Ｇ成分の画像、Ｂ成分の画像）であって、それぞれは、空間的に相互区分されたスライスであるか、または相互独立的な色成分を有する画像のスライスであって、それぞれは、時間的に相互区分されたスライスであるかを意味しうる。これにより、もし、符号化しようとする画像が４：４：４フォーマットの画像であり、本発明による画像符号化装置がその４：４：４フォーマットの画像を本発明の固有の技法（＝４：０：０フォーマットの画像のように取り扱われるスライスを４：４：４フォーマットの画像を利用して生成し、生成されたスライスを符号化することによって、その４：４：４フォーマットの画像を符号化する技法）によって符号化せず、従来の技法（＝輝度成分を符号化した後、青色色差成分を符号化し、青色色差成分を符号化した後、赤色色差成分を符号化することによって、４：４：４フォーマットの画像を符号化する技法）によって符号化すれば、本発明による画像符号化装置は、その４：４：４フォーマットの画像を符号化した結果と“ビットストリームに現れた画像が４：４：４フォーマットの画像である”を意味するモノクローム類型情報とが含まれたビットストリームを生成しうる。
【００３１】
図３は、本発明による画像復号化装置を説明するためのブロック図であって、並列的復号化部３１０、及び画像復元部３２０を備えうる。
【００３２】
並列的復号化部３１０は、入力端子ＩＮ２を通じて入力されたビットストリームに含まれた符号化されたスライスを並列的に復号化するが、そのスライスのそれぞれを独立的に復号化する。ここで、入力端子ＩＮ２を通じて入力されたビットストリームは、前述した出力端子ＯＵＴ１を通じて出力されたビットストリームと同じであることが望ましい。
【００３３】
もし、ビットストリームに含まれた符号化されたスライスが、本発明の第１実施例によるスライスが符号化された結果であれば、並列的復号化部３１０は、スライスの復号化を同時に完了しうる。
【００３４】
一方、ビットストリームに含まれた符号化されたスライスが、本発明の第２実施例によるスライスが符号化された結果であれば、並列的復号化部３１０は、スライスのそれぞれの復号化を順次に完了しうる。
【００３５】
画像復元部３２０は、並列的復号化部３１０で復号化されたスライスを利用して、入力端子ＩＮ１を通じて入力された画像を復元し、復元された画像を出力端子ＯＵＴ２を通じて出力する。具体的に、画像復元部３２０は、復号化されたスライス間の相互対応するピクセルのピクセル値を考慮して画像を復元する。
【００３６】
画像復元部３２０は、Ｒ成分、Ｇ成分、Ｂ成分のように、相互独立的な色成分を有する画像を復号化されたスライスを利用して復元し、復元された画像を輝度成分（Ｙ）、青色色差成分（Ｃｂ）、赤色色差成分（Ｃｒ）のように、何れか一つの色成分（ＣｂまたはＣｒ）が他の一つの色成分（Ｙ）に従属的な色成分を有する画像（例えば、４：４：４フォーマットの画像）に変更した後、変更された画像を出力端子ＯＵＴ２を通じて出力することが望ましい。
【００３７】
このような本発明による画像復号化装置は、ビットストリームに含まれたモノクローム類型情報を分析し、ビットストリーム類型情報が“ビットストリームに現れた画像が相互独立的な色成分を有する画像のスライスであって、それぞれは、空間的に相互区分されたスライスである”ことを意味するか、または“ビットストリームに現れた画像が相互独立的な色成分を有する画像のスライスであって、それぞれは、時間的に相互区分されたスライスである”ことを意味すると分析された場合に、動作することが望ましい。
【００３８】
図４は、本発明によるビットストリームを示すシンタックスの一部である。図４に示したように、本発明によるビットストリームは、モノクローム類型情報を含むことが望ましい。
【００３９】
図４に示したように、ｍｏｎｏｃｈｒｏｍｅ＿ｔｙｐｅが０というのは、ビットストリームに現れた画像が、相互独立的な色成分（例えば、Ｒ成分、Ｇ成分、Ｂ成分）を有する画像のスライス（例えば、Ｒ成分の画像、Ｇ成分の画像、Ｂ成分の画像）であって、それぞれは、空間的に相互区分されたスライスであることを意味しうる。
【００４０】
一方、ｍｏｎｏｃｈｒｏｍｅ＿ｔｙｐｅが１というのは、ビットストリームに現れた画像が、相互独立的な色成分を有する画像のスライスであって、それぞれは、時間的に相互区分されたスライスであることを意味しうる。
【００４１】
図５は、本発明による画像符号化方法を説明するためのフローチャートであって、圧縮しようとする画像の色成分が多くても、その画像を迅速に圧縮するステップ（ステップ５１０〜ステップ５２０）を含みうる。
【００４２】
画像再構成部２１０は、符号化しようとする画像の色成分別画像のスライスを生成する（ステップ５１０）。このとき、生成されたスライスのそれぞれは、空間的に相互区分されるものでもあり、時間的に相互区分されたものでもある。
【００４３】
ステップ５１０後に、並列的符号化部２２０は、ステップ５１０で生成されたスライスを並列的に符号化するが、その生成されたスライスのそれぞれを独立的に符号化してビットストリームを生成する（ステップ５２０）。
【００４４】
ステップ５２０で、並列的符号化部２２０は、符号化されたスライスだけでなく、モノクローム類型情報も含むビットストリームを生成することが望ましい。
【００４５】
図６は、本発明による画像復号化方法を説明するためのフローチャートであって、復元しようとする画像の色成分が多くても、その画像を迅速に復元するステップ（ステップ６１０〜ステップ６２０）を含みうる。
【００４６】
並列的復号化部３１０は、復元しようとする画像の色成分別画像のスライスの符号化された結果を有するビットストリームに含まれたスライスを復号化するが、そのスライスのそれぞれを独立的に復号化する（ステップ６１０）。本発明の第１実施例によるステップ６１０は、スライスの復号化を同時に完了する一方、本発明の第２実施例によるステップ６１０は、スライスのそれぞれの復号化を順次に完了しうる。
【００４７】
画像復元部３２０は、復元しようとする画像をステップ６１０で復号化されたスライス間の相互対応するピクセルのピクセル値を考慮して復元する（ステップ６２０）。
【００４８】
以上、前述した実施例以外に、本発明の実施例は、コンピュータで読み取られ、前記実施例を具現するための少なくとも一つのプロセシングエレメントを制御するための媒体（例えば、コンピュータで読み取り可能な記録媒体）上のコード／インストラクションを通じて具現されることもある。このとき、媒体は、コンピュータ可読コードの保存及び／または伝送を許可する媒体でありうる。
【００４９】
前述された本発明による画像符号化方法、あるいは画像復号化方法をコンピュータで実行させるためのプログラムは、コンピュータで読み取り可能な記録媒体に保存されうる。ここで、コンピュータで読み取り可能な記録媒体は、マグネチック記録媒体（例えば、ＲＯＭ（Ｒｅａｄ  Ｏｎｌｙ  Ｍｅｍｏｒｙ）、フロッピー（登録商標）ディスク、ハードディスクなど）、及び光学的判読媒体（例えば、ＣＤ−ＲＯＭ、ＤＶＤ（Ｄｉｇｉｔａｌ  Ｖｅｒｓａｔｉｌｅ  Ｄｉｓｃ））のような記録媒体を含む。一方、このようなコンピュータで読み取り可能な記録媒体は、分散されたネットワークであり、これにより、コンピュータ可読コードは、分散された形態で保存／伝送され、かつ実行されうる。一方、前記プロセシングエレメントは、プロセッサやコンピュータプロセッサを含み、プロセシングエレメントは、分散されてもよく、一つのデバイス内に含まれてもよい。
【００５０】
以上で説明したように、本発明による画像符号化／復号化方法及び装置は、符号化しようとする画像の色成分別画像であるスライスを生成し、生成されたスライスを並列的に符号化するが、そのスライスのそれぞれを独立的に符号化することによって、その符号化しようとする画像を符号化する。すなわち、本発明による画像符号化方法及び装置は、符号化しようとする画像を利用して相互独立的な色成分（例えば、Ｒ成分、Ｇ成分、Ｂ成分）であるスライスを生成した後、そのスライスを符号化することによってその画像を符号化するので、そのスライスのそれぞれを独立的に符号化でき、そのスライスを並列的に符号化しうる。これにより、本発明による画像符号化方法及び装置は、圧縮しようとする画像の色成分がいくら多くても、その画像を迅速に圧縮しうる。
【００５１】
同様に、本発明による画像符号化／復号化方法及び装置は、復元しようとする画像の色成分別画像であるスライスの符号化された結果を有するビットストリームに含まれたそのスライスを並列的に復号化するが、そのスライスのそれぞれを独立的に復号化し、復号化されたスライスを利用して、その復元しようとする画像を復元する。すなわち、本発明による画像復号化方法及び装置は、復元しようとする画像のスライスであって、相互独立的な色成分（例えば、Ｒ成分、Ｇ成分、Ｂ成分）のスライスの符号化された結果を有するビットストリームに含まれたそのスライスを復号化し、復号化されたスライスを利用して、その復元しようとする画像を復元するので、そのスライスのそれぞれを独立的に復号化でき、そのスライスを並列的に復号化しうる。これにより、本発明による画像復号化方法及び装置は、復元しようとする画像の色成分がいくら多くても、その画像を迅速に復元しうる。
【００５２】
結局、本発明による画像符号化／復号化方法及び装置は、ＹＣｂＣｒ色空間の画像（以下、説明の便宜上‘４：４：４フォーマットの画像’と仮定する）の符号化において、輝度成分（Ｙ）を符号化した後、色差成分（ＣｂまたはＣｒ）をその輝度成分の符号化モードによって符号化せず、４：４：４フォーマットの画像をＲＧＢ色空間の画像に変更した後、ＲＧＢ色空間の画像の色成分別画像（Ｒ成分の画像、Ｇ成分の画像、Ｂ成分の画像）を生成し、生成された色成分別画像を４：０：０フォーマットの画像として取扱ったまま、その生成された色成分別画像のそれぞれを独立的に符号化する。同様に、本発明による画像復号化方法及び装置は、４：４：４フォーマットの画像が符号化された結果を有するビットストリームの復号化において、輝度成分（Ｙ）を復号化した後、色差成分（ＣｂまたはＣｒ）をその輝度成分の復号化モードによって復号化せず、相互独立的な色成分の画像（例えば、Ｒ成分の画像、Ｇ成分の画像、Ｂ成分の画像）を４：０：０フォーマットの画像として取扱ったまま、その色成分の画像のそれぞれを独立的に復号化する。したがって、本発明による画像符号化及び復号化方法と装置は、“４：０：０フォーマットの画像として取扱われる多数の画像を４：４：４フォーマットの画像を利用して生成し、生成された多数の画像を符号化することによって、その４：４：４フォーマットの画像が符号化される”ことを表すモノクローム類型情報の含まれたビットストリームが生成でき、このようなビットストリームを復号化しうるという点を除いては、４：０：０フォーマットの画像、４：２：０フォーマットの画像、４：２：２フォーマットの画像、４：４：４フォーマットの画像を符号化及び復号化するためのＨ.２６４／ＡＶＣ標準をそのまま従うので、画像を符号化及び復号化するための既存の標準／規格との衝突を避けつつも、４：４：４フォーマットの画像を迅速に圧縮及び復元しうる。
【００５３】
以上、本発明を望ましい実施例を中心に説明した。当業者は、本発明が本発明の本質的な特性から逸脱しない範囲で変形された形態で具現されることが分かるであろう。したがって、開示された実施例は、限定的な観点でなく、説明的な観点で考慮されねばならない。本発明の範囲は、前述した説明ではなく、特許請求の範囲に現れており、それと同等な範囲内にある全ての差異点は、本発明に含まれていると解釈されねばならない。
【図面の簡単な説明】
【００５４】
【図１Ａ】本発明による画像を説明するための参照図である。
【図１Ｂ】本発明によるピクチャーを説明するための参照図である。
【図１Ｃ】本発明によるスライスを説明するための参照図である。
【図２】本発明による画像符号化装置を説明するためのブロック図である。
【図３】本発明による画像復号化装置を説明するためのブロック図である。
【図４】本発明によるビットストリームを示すシンタックスの一部である。
【図５】本発明による画像符号化方法を説明するためのフローチャートである。
【図６】本発明による画像復号化方法を説明するためのフローチャートである。
【図１Ａ】
2009531946.tif 000003
【図１Ｂ】
2009531946.tif 000004
【図１Ｃ】
2009531946.tif 000005
【図２】
2009531946.tif 000006
【図３】
2009531946.tif 000007
【図４】
2009531946.tif 000008
【図５】
2009531946.tif 000009
【図６】
2009531946.tif 000010
【国際調査報告】
2009531946.tif 000011
2009531946.tif 000012